(57)【要約】【課題】電飾装置が大型化できるばかりか、そのほぼ前面全体で電飾機能が発揮できて十分な電飾効果が得られ、これによって遊技の興趣が盛り上がり、商品価値も高められるパチンコ遊技機を提供する。【解決手段】遊技盤３面における遊技部３ａの下部に、前記遊技部３ａの下端中央部を含むようにしてその両側へ伸びる電飾装置１７を装着し、前記電飾装置１７には、そのほぼ前面全体を覆う透光性の装飾板３０を取着すると共にその裏側に発光源２１，４１を配置し、また、前記遊技盤３に開設されたアウト球口４６と連通し入賞しなかったパチンコ球をすべて受け止めて該アウト球口４６へ排出するためのアウト球受部３４を設けた構成からなる。【選択図】  図２
2004305391.tif 000002
【特許請求の範囲】
【請求項１】
遊技盤面における遊技部の下部に、前記遊技部の下端中央部を含むようにしてその両側へ伸びる電飾装置を装着し、前記電飾装置には、そのほぼ前面全体を覆う透光性の装飾板を取着すると共にその裏側に発光源を配置し、また、前記遊技盤に開設されたアウト球口と連通し入賞しなかったパチンコ球をすべて受け止めて該アウト球口へ排出するためのアウト球受部を設けたことを特徴とするパチンコ遊技機。
【請求項２】
遊技盤面における遊技部の内側ガイドレールの下部内周面に沿って、前記遊技部の下端中央部を含むようにしてその両側へ伸びる電飾装置を装着し、前記電飾装置には、そのほぼ前面全体を覆う透光性の装飾板を取着すると共にその裏側に発光源を配置し、また、前記電飾装置の上部に前記遊技盤の横幅方向に沿わせて、前記遊技盤に開設されたアウト球口と連通し入賞しなかったパチンコ球をすべて受け止めて該アウト球口へ排出するためのアウト球受部を設けたことを特徴とするパチンコ遊技機。
【請求項３】
前記電飾装置に、前記遊技部に打ち込まれたパチンコ球を入賞させる入賞球受部を設けた請求項１又は２記載のパチンコ遊技機。
【発明の詳細な説明】
【０００１】
【発明の属する技術分野】
本発明は、遊技盤面における遊技部の下部に電飾装置を装着したパチンコ遊技機に関するものである。
【０００２】
【従来の技術】
従来、遊技盤の前面に遊技部を囲うように内側案内レールと外側案内レールとが渦巻状に敷設され、遊技部には、例えば、その中央部に普通・特別図柄表示装置を備えたセンターケースが装着され、その左右に前記普通図柄表示装置を作動させるための普通図柄作動ゲートが設けられ、センターケースの下方に特別図柄表示装置を作動させる機能をもつ第１種始動口と普通電動役物が装着され、更に、内側案内レールの内周面側であってその両側に、それぞれ左・右サイド飾りといった電飾装置が装着され、内側案内レールの下端中央部に対応位置する遊技盤には、入賞しなかったパチンコ球をすべてアウト球として排出するアウト球口が開設されている（例えば、特許文献１参照。）。
【０００３】
【特許文献１】
特開２００２−１２６２９３号公報  （第３−４頁、図１）
【０００４】
【発明が解決しようとする課題】
しかしながら、近時、遊技盤中央部のセンターケースは大型化する傾向が強く、しかも、その他にその両側方や下方に普通図柄作動ゲートや第一種始動口及び普通電動役物が装着されている。また、内側案内レールの下端中央部に対応位置する遊技盤には、アウト球口が開設されている。このため、遊技盤面にはそのアウト球口へのパチンコ球の球道が確保されるように考慮する必要があることから、遊技部は非常に自由なスペースが少なく、電飾効果を発揮させるために使用される左・右サイド飾りは、内側案内レールの内周面両側に小さく装着されるに過ぎず、これでは十分な電飾効果が得られていないのが現状である。
【０００５】
そこで、本発明は上記課題に鑑みてなされたものであり、電飾装置が大型化できるばかりか、そのほぼ前面全体で電飾機能が発揮できて十分な電飾効果が得られ、これによって遊技の興趣が盛り上がり、商品価値も高められるパチンコ遊技機を提供することを目的とするものである。
【０００６】
【課題を解決するための手段】
かかる目的を達成するため、本発明に係るパチンコ遊技機は、遊技盤面における遊技部の下部に、前記遊技部の下端中央部を含むようにしてその両側へ伸びる電飾装置を装着し、前記電飾装置には、そのほぼ前面全体を覆う透光性の装飾板を取着すると共にその裏側に発光源を配置し、また、前記遊技盤に開設されたアウト球口と連通し入賞しなかったパチンコ球をすべて受け止めて該アウト球口へ排出するためのアウト球受部を設けた構成からなる。
【０００７】
このように、遊技部の下部にその下端中央部を含むようにしてその両側へ伸びる電飾装置を装着し、前記電飾装置にそのほぼ前面全体を覆う透光性の装飾板を取着すると共にその裏側に発光源を配置するようにしたので、電飾装置が大型化できるばかりかその全体で電飾機能が発揮でき、十分な電飾効果が得られる。また、アウト球受部は、一個に限らず、二個、三個または四個さらにはそれ以上であっても良い。
【０００８】
また、本発明は、具体的には例えば、遊技盤面における遊技部の内側ガイドレールの下部内周面に沿って、前記遊技部の下端中央部を含むようにしてその両側へ伸びる電飾装置を装着し、前記電飾装置には、そのほぼ前面全体を覆う透光性の装飾板を取着すると共にその裏側に発光源を配置し、また、前記電飾装置の上部に前記遊技盤の横幅方向に沿わせて、前記遊技盤に開設されたアウト球口と連通し入賞しなかったパチンコ球をすべて受け止めて該アウト球口へ排出するためのアウト球受部を設けた構成が採られる。この場合、前記電飾装置のアウト球受部より下方に発光源を配置できる自由なスペースができることになる。
【０００９】
また、電飾装置に、遊技部に打ち込まれたパチンコ球を入賞させる入賞球受部を設けるようにしても良い。これにより、遊技に変化が与えられ遊技の興趣を高められる。この際、入賞球受部には球検出器を配設して通過するパチンコ球を検出することが好ましい。
【００１０】
【発明の実施の形態】
以下、本発明に係るパチンコ遊技機の実施の形態を図面と共に説明する。図１は、本発明に係るパチンコ遊技機の正面図である。図において、１は縦長方形枠状に成形される木製の機枠であり、その前面に、遊技盤３が配設される前面枠２が回動自在に装着されている。更に、その前面枠２の前面に、前記遊技盤３の前面上部を覆う透明板保持枠４と、遊技盤３の前面下部を覆う前面板５がそれぞれ一側を支点として回動自在に装着されている。
【００１１】
前記透明板保持枠４は、中央に前記遊技盤３の遊技部３ａが臨む窓開口６が開設され、該窓開口６が透明板であるガラス板７で塞がれている。また、前記前面板５の前面に打球発射部（図示せず。）へパチンコ球を供給するための打球供給皿８が装着される。前面枠２の下部前面には、その中央に前記打球供給皿８から溢れるパチンコ球を貯留するための余剰球受皿９が装着され、その一側に打球の発射力を調節するための操作ハンドル１０が設けられている。
【００１２】
前記遊技盤３前面に、遊技部３ａを囲うようにして内側案内レール１１ａと外側案内レール１１ｂが渦巻状に敷設されている。そして、遊技部３ａのほぼ中央に可変表示装置１２が設けられ、その下部に前方へ回動可能な開閉扉１３を装着した球入口１４が設けられている。また、可変表示装置１２の右側方に回転チャッカー１５と大入賞口１６とが上下に設けられている。遊技盤３面における遊技部３ａの下部に、前記遊技部３ａの下端中央部を含むようにして、すなわち、遊技盤３面における遊技部３ａの内側ガイドレール１１ａの下部内周面に沿い前記遊技部３ａの下端中央部を含むようにして、その両側へ伸びる電飾装置１７が装着されている。
【００１３】
前記可変表示装置１２は、その前面に数字、記号等の表示が変動表示される表示部１２ａが設けられる。そして、前記電飾装置１７の上部に設けられた始動入賞口１８にパチンコ球が入賞し、これが内部に設けられた球検出器１８ａによって検出されると、その信号により表示部１２ａの表示が変動表示するようになっている。球入口１４は、その内部にＶ入賞口と一般入賞口（図示せず。）とを設けたものである。回転チャッカー１５は、モータによって常時回転させられる回転体１５ａを有し、該回転体１５ａの周縁に設けた球保持部１５ｂにパチンコ球を受け入れて下方に運び入賞させるものである。さらに、大入賞口１６は、取付板１６ａに開設した開口１６ｂに前後方向へ回動自在な回動扉１６ｃを設けたもので、この回動扉１６ｃは通常は閉じており、ソレノイド（図示せず）を駆動すると前側へ傾動してパチンコ球を受け入れ易いように変換する。
【００１４】
次に、これまでの各装置の遊技方法について説明する。遊技盤３の遊技部３ａに打ち込まれたパチンコ球が始動入賞口１８に入り検出されると、その検出信号によって可変表示装置１２の表示部１２ａの表示が変動し、一定時間が経過するとその変動が停止する。そして、その停止時の表示が予め設定された表示（例えば、「７，７，７」）に揃うと、球入口１４のソレノイドを励磁して開閉扉１３を一定時間又は一定個数のパチンコ球が入賞するまで開成する。そこで、その間に球入口１４にパチンコ球が入り、しかも、Ｖ入賞孔にパチンコ球が入賞すると、「大当たり」としての権利発生となる。
【００１５】
一方、この権利発生の状態において、回転チャッカー１５の球保持部１５ｂにパチンコ球が入って下方に運ばれ、該パチンコ球が入賞球検出器（図示せず）で検出されると「大当たり」の権利が確定し、同時に大入賞口１６の回動扉１６ｃを前側へ傾動させる。そして、回転チャッカー１５の球保持部１５ｂにパチンコ球が入るごとに回動扉１６ｃを傾動する動作が所定サイクル継続されることになって遊技客に多大な利益が付えられる。
【００１６】
前記電飾装置１７は、前面のデザインが所望の図柄（図では孔雀の図）が描出され、頭部と胴部からなる上部材１７ａと尾からなる下部材１７ｂとから構成される。これらは連続して配置され、しかも、上部材１７ａの先端頭部は内側案内レール１１ａの右側のほぼ上端部に達し、下部材１７ｂの後端部は内側案内レール１１ａの左側のほぼ中間位置に達するようにして、内側ガイドレール１１ａ下部の内周面に沿って装着される。このため、前記内側ガイドレール１１ａの下端中央部も覆われ、その位置には入賞しなかったすべてのパチンコ球をアウト球として排出するためのアウト球口は存在しない。
【００１７】
前記上部材１７ａは、図２，図３に示すように取付板１９と、該取付板１９の前側にそのほぼ前面全体を覆うようにしかつほぼパチンコ球一個分の間隔離して平行に配置され、前面に孔雀の胴部模様をあしらった装飾板２０とからなる。取付板１９の前面一側に前記始動入賞口１８が設けられ、中央部には発光源である複数のＬＥＤ２１を配置した配線基板２２が取り付けられる。装飾板２０は透光性のレンズ部材からなり、その裏面には前記配線基板２２を囲うようにして隔壁２３が設けられ、また、適宜位置に後端面にビス孔２４を設けた複数のボス２５が突設されている。一方、各ボス２５に対応位置させて取付板１９にビス挿通孔２６が設けられ、これらビス挿通孔２６を介して各ビス孔２４にビス２７を螺締めすることにより上部材１７ａが組み立てられる。そして、この上部材１７ａは、取付板１９に設けられた取付孔２８を介して遊技盤３面にビス２９を螺締することにより装着される。
【００１８】
前記上部材１７ａと連続して配置される下部材１７ｂは、図２，図４に示すように、前面に孔雀の尾羽根部の模様をあしらった装飾板３０と、その後側にほぼパチンコ球一個分の間隔離して平行に配置される取付板３１とからなる。装飾板３０は透光性のレンズ部材からなり、取付板３１のほぼ前面全体を覆う大きさからなる。そして、その裏面のほぼ中央部と一側の所定位置に複数（図では３個）の入賞球受部３２が設けられる。それら入賞球受部３２の間には、装飾板３０の上部に沿って後方へ突出する受止板３３を張設することにより、上面に複数（図では４個）のアウト球受部３４が設けられる。
【００１９】
これにより、装飾板３０の裏面であってその上縁部の横幅方向の全域に沿ってアウト球受部３４が成形されることになる。また、各受止板３３は、入賞球受部３２側と装飾板３０の両端側でそれぞれ上方へ傾斜しており、所定の一個所が最も低い底部として成形される。前記各入賞球受部３２は、上面と後端面が開放される球受樋３５により成形され、その上部に入賞するパチンコ球を検出する球検出器３６が設けられている。３７は装飾板３０裏面の所定位置に設けられ、後端面にビス孔３８が設けられるボスである。
【００２０】
前記取付板３１には、前記各入賞球受部３２に対応して、前後端面がそれぞれ開放され内部に球検出器３６が臨む入賞球受枠３９が設けられる。また、取付板３１に各受止板３３の底部に対応して該底部と連なるアウト球通孔４０が開設されている。これらアウト球通孔４０は遊技盤３の後記するアウト球口４６に連通するようになっており、しかも、横並びする二個のパチンコ球が同じに通過できる広さを有する。取付板３１の前面には、特に遊技部３ａの下端中央部を含め所定の位置に、前面に発光源である複数のＬＥＤ４１を配置した複数の配線基板４２が取着される。一方、取付板３１の裏面には、その下縁に沿って前記アウト球通孔４０から流入したパチンコ球を受けるガイド枠４３が配設されている。このガイド枠４３は、アウト球口４６に合致する形状をしており、途中に後記する排出通路４９と連通する切欠部４３ａが設けられている。更に、前記各ボス３７に対応してビス挿通孔４４が設けられ、これらビス挿通孔４４を介して各ボス３７のビス孔３８にビス４５を螺締することにより、下部材１７ｂが組み立てられる。
【００２１】
遊技盤３の遊技部３ａ下部に、横長に成形され、前記各入賞球受枠３９が介装されると共に各アウト球通孔４０と連通するアウト球口４６が設けられている。このアウト球口４６は、その後面が覆板４７により塞がれる。また、この覆板４７に前記入賞球受枠３９が挿通される通孔４８が開設される。アウト球口４６の下方には、該アウト球口４６と連通し下端面が開放される排出通路４９が成形される。そして、アウト球口４６にガイド枠４３を嵌合すると共に、取付板３１の適宜位置に設けられた取付孔５０を介して遊技盤３前面のビス孔５１にビス５２を螺締することにより、下部枠１７ｂが装着される。
【００２２】
そこで、遊技部３ａに打ち込まれ、いずれかの入賞球受部３４に入ったパチンコ球Ｂは、図５に示すように球検出器３６で検出され、入賞球受枠３９を介してその後端面から遊技盤３の裏面に排出される。一方、遊技部３ａに打ち込まれ、回転チャッカー１５や大入賞口１６、更には、入賞球受部３４に入賞しなかったすべてのパチンコ球Ｂ１は、いずれかのアウト球受部３４に受けられ、図６に示すようにアウト球通口４０を介してアウト球口４６に入り、排出通路４９を流下して下方へ排出される。遊技中は、前記上部材１７ａまたは下部材１７ｂ内に配置された各ＬＥＤ２１，４１が点灯または点滅し、電飾装置１７のほぼ前面全体で電飾効果が発揮できることとなる。
【００２３】
前記各アウト球通孔４０は、横並びする二個のパチンコ球が同時に通過できる寸法に設定されているが、必要であれば、もっと広くして三個以上五個以下のパチンコ球が横並びで同時に通過できる寸法に成形するようにしても良い。このようにすれば、アウト球が一個所のアウト球通孔４０に集中したとしても、球詰まりを起こすようなことがなく、球の排出が円滑に行なえる。
【００２４】
このように、本発明は遊技部３ａの下部であって、遊技部３ａの下端中央部を含みその両側へ伸びるようにして電飾装置１７を装着し、しかも、電飾装置１７の前面全体で装飾機能を発揮できることから、その装飾効果が十分に達成でき、遊技の興趣を盛り上げることができる。
【００２５】
【発明の効果】
以上説明したように、本発明に係るパチンコ遊技機は、遊技部の下部に、遊技部の下端中央部を含むようにしてその両側へ伸びる電飾装置を装着し、電飾装置には、そのほぼ前面全体を覆う透光性の装飾板を取着すると共にその裏側に発光源を配置し、また、遊技盤に開設されたアウト球口と連通し入賞しなかったパチンコ球をすべて受け止めてアウト球口へ排出するアウト球受部を設けたので、電飾装置を大型化できるばかりかその全体で電飾機能が発揮でき、十分な電飾効果が得られる。また、統一性のある斬新なデザインとすることも可能であり、遊技の興趣を盛り上げることができ、しかも、商品価値が高められるという効果がある。
【００２６】
また、電飾装置に、遊技部に打ち込まれたパチンコ球を受け入れる入賞球受部を設けるようにしても良い。これにより、遊技に変化が与えられ遊技の興趣を高められる。
【図面の簡単な説明】
【図１】本発明に係るパチンコ遊技機の正面図。
【図２】電飾装置を分離して示す遊技盤の前から見た斜視図。
【図３】図１のＸ−Ｘ線断面図。
【図４】電飾装置の分解斜視図。
【図５】図１のＹ−Ｙ線断面図。
【図６】図１のＺ−Ｚ線断面図。
【符号の説明】
３                遊技盤
３ａ              遊技部
１７              電飾装置
２１              発光源（ＬＥＤ）
３０              装飾板
３２              入賞球受部
３４              アウト球受部
４１              発光源（ＬＥＤ）
４６              アウト球口
【図１】
2004305391.tif 000003
【図２】
2004305391.tif 000004
【図３】
2004305391.tif 000005
【図４】
2004305391.tif 000006
【図５】
2004305391.tif 000007
【図６】
2004305391.tif 000008